(57)【特許請求の範囲】
【請求項１】
本体に形成された長手状のカード挿入口と、ねじを用いて該本体に固定された状態で該カード挿入口を覆う蓋部材とを備え、該カード挿入口内に挿入された電子カードを収納するカード収納装置であって、
前記蓋部材の先端部を前記本体の前記カード挿入穴から上側の位置に着脱可能に固定する先端部固定装置と、通して前記ねじが螺合されるねじ穴と、
前記本体の前記カード挿入穴から下側の位置に貫通して形成され、前記蓋部材の基端部を掛け止める切欠き穴とを含み、
該切欠き穴は、前記カード挿入口の長手寸法よりも短く、前記カード挿入口を解放する位置にあるときは前記蓋部材の基端部の通過を許容するとともに自重による掛止を可能とし、該カード挿入口を覆う位置までその掛止を持続して該蓋部材の回動を許容するクランク形状の長穴である
ことを特徴とするカード収納装置。
【請求項２】
前記切欠き穴には、重力の方向に対して反対向きに凸形状の掛止突起が設けられており、
前記蓋部材の基端部は、その凸形状の掛止突起に掛け止められる掛止穴が貫通して形成されていることを特徴とする請求項１のカード収納装置。
【請求項３】
前記蓋部材は、前記カード挿入口を覆うために該カード挿入口に対向する凹みを有する箱状の覆蓋部を前記基端部と先端部との間に有し、
該覆蓋部の側壁の少なくとも一つには、前記本体に向かって突き出し、該先端部が接触する前に該本体に接触する突起が形成されていることを特徴とする請求項１または２のカード収納装置。
【請求項４】
前記蓋部材には、その箱状部に貫通して形成された覗き穴が形成されていることを特徴とする請求項１乃至３のいずれか１のカード収納装置。
【請求項５】
前記切欠き穴および前記カード挿入口は、前記蓋部材の箱状の覆蓋部の厚み寸法よりも小さな幅寸法を有することを特徴とする請求項１乃至４のいずれか１のカード収納装置。
【発明の詳細な説明】
【技術分野】
【０００１】
本発明は、カードを差し入れる長手状のカード挿入口とそれを覆う蓋部材とを有するカード収納装置に関するものである。
【背景技術】
【０００２】
たとえばカード型メモリ、ＩＣカードなどの電子カードを本体内のプリント基板などに配置された電子カードとプリント基板とを電気的に接続するコネクタに差し入れるための長手穴状のカード挿入口すなわちカードスロットが本体に形成された機器が知られている。このような機器では、一般に、カードスロット内に収容された電子カードの抜け防止、セキュリティを高めるなどのために、そのカードスロットを塞ぐ蓋部材が固定される。たとえば、特許文献１に記載されたカード収納装置がそれである。
【０００３】
上記カード収納装置は、カード挿入口の横に退避するロック解除位置とカード挿入口に対向し且つロック解除位置寄りの端部に設定したロック位置との間で移動可能に設けられたロック部材と、それらカード挿入口およびロック部材を覆うように本体にヒンジを介して開閉回動可能に設けられた蓋部材とを備えて構成されている。これにより、ロック部材は、そのスライドストロークが短縮されて小型化され、カード挿入口の横方向部位のスペースが小さくされる。また、蓋部材がヒンジを介して本体に回動可能に設けられた蓋部材によりカード挿入口およびロック部材が覆われるとともに、蓋部材がカード挿入口の横方向部位のスペースを占有することがなく、小型化を図ることができる。
【先行技術文献】
【特許文献】
【０００４】
【特許文献１】特開２０１０−２１８３７８
【発明の概要】
【発明が解決しようとする課題】
【０００５】
ところで、上記従来のカード収納装置は、ロック部材およびその移動案内装置、蓋部材およびそのヒンジ機構など多くの部品点数を必要とし、構造が複雑であった。ロック部材或いは蓋部材にがたつきが生じないように寸法精度を高めると、製造工程が煩雑となり部品が高価となる可能性があった。
【０００６】
本発明は、以上の事情を背景として為されたものであって、その目的とするところは、軸機構を用いないで蓋部材が装着されて開閉部品点数が少なく、構造が簡単で製造が容易で安全なカード収納装置を提供することにある。
【課題を解決するための手段】
【０００７】
かかる目的を達成するための本発明の要旨とするところは、(a)本体に形成された長手状のカード挿入口と、該本体に固定された状態で該カード挿入口を覆う蓋部材とを備え、該カード挿入口内に挿入された電子カードを収納するカード収納装置であって、(b)前記蓋部材の先端部を前記本体の前記カード挿入穴から上側の位置に着脱可能に固定する先端部固定装置と、(c)前記本体の前記カード挿入穴から下側の位置に貫通して形成され、前記蓋部材の基端部を掛け止める切欠き穴とを含み、(d)該切欠き穴は、前記カード挿入口の長手寸法よりも短く、前記カード挿入口を解放する位置にあるときは前記蓋部材の基端部の通過を許容するとともに自重による掛止を可能とし、該カード挿入口を覆う位置までその掛止を持続して該蓋部材の回動を許容する曲線状長穴であることを特徴とする。
【発明の効果】
【０００８】
本発明のカード収納装置によれば、蓋部材は、カード挿入口を解放する位置ではその基端部が切欠き穴に掛止しているため、軸機構を用いないで開閉可能であり、自重では外れない。蓋部材は、カード挿入口を覆う位置ではその先端部を通したねじが前記ねじ穴に螺合されることにより本体に固定される。また、切欠き穴の長手寸法は、電子カードの長手寸法よりも短いため、本体製造時に作業者が動作確認のために、カードスロットの向こう側に配置されたコネクタに対して電子カードを間違えて挿入することもない。このため、軸機構を用いないで蓋部材が開閉可能に装着されて開閉部品の点数が少なく、構造が簡単で製造が容易、且つ製造に誤りがない、安心できるカード収納装置が得られる。
【０００９】
ここで、好適には、前記切欠き穴には、重力の方向に対して反対向きに凸形状の掛止突起が設けられており、前記蓋部材の基端部は、その凸形状の掛止突起に掛け止められる掛止穴が貫通して形成されている。このようにすれば、軸機構を用いないで、蓋部材を開閉可能すなわち回動可能に切欠き穴に装着できる。
【００１０】
また、好適には、前記蓋部材は、前記カード挿入口を覆うために該カード挿入口に対向する凹みを有する箱状の覆蓋部を前記基端部と先端部との間に有し、該覆蓋部の側壁の少なくとも一つには、前記本体に向かって突き出し、該先端部が接触する前に該本体に接触する当接突起が形成されている。このようにすれば、蓋自体がばね座金の機能を有し、締着状態ではがたつきの発生がなく、ねじの緩みが防止される。また、蓋を開くときに前記先端部固定装置による固定を解くと、上記当接突起の作用によって開く方向に回動し、蓋の基端部と切欠き穴との掛止によって蓋が落下することがない、安心できるカード収容装置が得られる。
【００１１】
また、好適には、前記蓋部材には、その箱状部に貫通して形成された覗き穴が形成されている。このようにすれば、前記カード挿入口が蓋部材により覆われている状態でカード挿入口が目視可能であるので、蓋部材を開けなくても電子カードがカード挿入口内に挿入されているか否かを判断することができるので、安心できるカード収容装置が得られる。
【００１２】
また、好適には、前記切欠き穴および前記カード挿入口は、前記蓋部材の箱状の覆蓋部の厚み寸法よりも小さな幅寸法をそれぞれ有する。このようにすれば、蓋部材を誤って切欠き穴およびカード挿入口内へ入れることが解消されるので、安心できるカード収容装置が得られる。
【図面の簡単な説明】
【００１３】
【図１】本発明が適用されたカード収納装置を内部に備えるカラオケ制御装置を示す正面図であって、前面パネルの一部を切り欠いてそのカード収納装置を示した図である。
【図２】図１の実施例において、カード収納装置の一部を構成する本体パネルの構成を説明する正面図である。
【図３】図１の実施例において、カード収納装置の他の一部を構成する蓋部材の構成を説明する図であって、(a)上面を、(b)は正面を、(c)は底面をそれぞれ示している。
【図４】図１の実施例において、カード収納装置の蓋部材を説明する斜視図である。
【図５】図１の実施例のカード収納装置において、蓋部材がカード挿入口を覆った位置で本体パネルにねじにより固定された状態を説明する断面図である。
【図６】図１の実施例のカード収納装置において、蓋部材が、カード挿入口を覆った位置からカード挿入口を解放する位置まで回動させられた状態で本体パネルに掛け止められている状態を説明する断面図である。
【図７】本発明の他の実施例のカード収納装置において、本体パネルの構成を説明する正面図であって、図２に相当する図である。
【図８】図７の実施例のカード収納装置において、蓋部材の構成を説明する正面図であって、図３の(b)に相当する図である。
【発明を実施するための形態】
【００１４】
以下、本発明の実施例を図面を参照しつつ詳細に説明する。
【実施例１】
【００１５】
図１において、カラオケ制御装置１０は、操作スイッチ、ダイヤル、表示器などが設けられている前面パネル１２と、その前面パネル１２が図示しないヒンジを介して回動可能に設けている筐体１４と、カラオケ制御装置１０の内部であってその筐体１４の前面に垂直に固定されている本体パネル１６と、その本体パネル１６に設けられたカード収納装置１８を備えている。カード収納装置１８は、図２に詳しく示す金属製の本体パネル１６に貫通して形成された長手状のカード挿入口２０と、ねじ２２を用いて本体パネル１６に固定された状態でそのカード挿入口２０を覆う蓋部材２４とを備え、そのカード挿入口２０内に挿入された電子カード２６を本体パネル１６内に収納する。この電子カード２６には、カラオケ制御装置１０を作動させたり、著作権保護したりするための制御プログラムなどが記憶される。カード挿入口２０に差し入れられた電子カード２６は、図５に示すように本体パネル１６の裏側に設けられたプリント基板２７に固定されたカードコネクタ２９内に挿入されて、電子回路に接続される。
【００１６】
図２に詳しく示すように、カード挿入口２０は、本体パネル１６に水平に形成された長手状の貫通穴であって、電子カード２６が挿入可能な、電子カード２６の断面の長さ寸法Ｌｃよりも僅かに長い長さ寸法Ｌと、電子カード２６の断面の幅寸法Ｗｃよりも僅かに長い幅寸法Ｗとを備えている。また、本体パネル１６には、ねじ２２が螺合されるねじ穴２８が、カード挿入口２２の長手方向の中央位置から上側へ所定距離たとえばカード挿入口２０の幅寸法Ｗの２倍程度離れた位置に形成されている。本実施例では、ねじ２２およびねじ２２が螺合されるねじ穴２８が、蓋部材２４の先端部４４を本体パネル１６に固定する先端部固定装置として機能している。
【００１７】
また、本体パネル１６には、カード挿入口２０の長手方向の中央位置から下側へ所定距離たとえばカード挿入口２０の幅寸法Ｗの１倍程度離れた位置に切欠き穴３０が貫通して形成されている。この切欠き穴３０は、蓋部材２４がカード挿入口２０を解放する解放位置(図６)とカード挿入口２０を閉じる位置(図５)との間で回動可能となるように蓋部材２４の基端部を掛け止めるようにクランク形状を備えている。すなわち、切欠き穴３０は、カード挿入口２０の長手寸法Ｌおよび電子カード２６の断面の長さ寸法Ｌｃよりも短い長手寸法Ｌｈと、カード挿入口２０の幅寸法Ｗおよび電子カード２６の断面の幅寸法Ｗｃよりも短く、且つ蓋部材２４の基端部４０の板厚ｄよりも長い最小幅寸法Ｗｈを有し、カード挿入口２０を解放する位置にあるときは蓋部材２４の基端部４０の通過を許容するとともに自重による掛止を可能とし、カード挿入口２０を覆う位置までその掛止を持続して蓋部材２４の回動を許容するように、その長手方向の中央部が重力の方向に対して反対向きに凸形状すなわち上に向かって凸形状とされている曲線状の長穴である。この切欠き穴３０の凸形状により、切欠き穴３０内へ上向きに突き出す掛止突起３２が本体パネル１６に形成されている。上記カード挿入口２０、ねじ２２、および切欠き穴３０は、たとえば金型を用いた打抜き加工により一挙に形成されたものであって、図２の中心線Ｃ１に対して左右対称に形成されている。
【００１８】
図３の（ａ）に示される蓋部材２４の上面図、（ｂ）に示される蓋部材２４の正面図、（ｃ）に示される蓋部材２４の底面図、および図４の斜視図に詳しく示すように、蓋部材２４は、プレス加工によって金属板材から曲成されたものであり、切欠き穴３０内に差し入れられたとき上記掛止突起３２を嵌め入れてそれと係合する掛止穴３６が形成された基端部４０と、蓋部材２４を固定するためのねじ２２を通す穴４２が形成された先端部４４と、それら基端部４０と先端部４４との間に位置し、カード挿入口２０を覆うために箱状を成す覆蓋部４６とを備え、図３（ｂ）の中心線Ｃ２に対して左右対称に形成されている。蓋部材２４が本体パネル１６に装着された状態では、図３（ｂ）の中心線Ｃ２は図２の中心線Ｃ１と一致する。
【００１９】
上記覆蓋部４６は、蓋部材２４の固定状態では、本体パネル１６と平行となる矩形の底壁４６ａとその底壁４６ａの四辺から本体パネル１６側へ突き出す４つの側壁４６ｂ、４６ｃ、４６ｄ、４６ｅとから本体パネル１６側に開口してカード挿入口２０に対向する凹みを有する箱形を成している。上記覆蓋部４６の横幅寸法Ｗｆは、カード挿入口２０の長さ寸法Ｌよりもやや大きく設定されており、長手状のカード挿入口２０の全体が覆蓋部４６により覆われるようになっている。蓋部材２４を誤って切欠き穴３０およびカード挿入口２０内へ入れることを防止するために、上記箱形の覆蓋部４６の厚み寸法Ｄは、切欠き穴３０の最小幅寸法Ｗｈおよびカード挿入口２０の幅寸法Ｗよりも大きい寸法に設定されている。
【００２０】
上記覆蓋部４６の中央部の上半分には、電子カード２６が挿入されているか否かを蓋部材２４を開けないで確認するための覗き穴４８が貫通して形成されている。また、上記箱状の覆蓋部４６の４つの側壁４６ｂ、４６ｃ、４６ｄ、４６ｅのうち、中心線Ｃ２に平行な方向すなわちカード挿入口２０の長手方向に直交する方向に平行な一対の側壁４６ｃおよび側壁４６ｅの基端部４０側には、蓋部材２４がカード挿入口２２を覆う位置へ向かって回動させられるとき、先端部４４が接触する前に本体パネル１６に当接する突き出し量で本体パネル１６に向かって突き出す当接突起５０がそれぞれ形成されている。
【００２１】
図５は、ねじ２２を用いて蓋部材２４を固定し、カード挿入口２０を蓋部材２４で覆って閉じた位置を示し、図６は、ねじ２２を外して蓋部材２４を開き、カード挿入口２０を解放した解放位置を示している。当初は、蓋部材２４の基端部４０が切欠き穴３０を通過させられて基端部４０の掛止穴３６内に、切欠き穴３０内へ上向きに突き出す掛止突起３２が掛止されると、図６に示すように、蓋部材２４がカード挿入口２０を開いた解放状態で蓋部材２４の自重で掛け止められる。たとえば、電子カード２６がカード挿入口２０内に差し入れられて作業者により回動操作が行なわれると、蓋部材２４はカード挿入口２０を覆って閉じた位置へ回動させられ、そこで、蓋部材２４の先端部４４の穴４２を通されたねじ２２がねじ穴２８に螺合されると、図５に示すように、蓋部材２４がカード挿入口２０を閉じた位置で固定される。この状態では、当接突起５０が本体パネル１６に圧接されており、ねじ２２の緩みが防止されている。
【００２２】
上述のように、本実施例のカード収納装置１０によれば、蓋部材２４は、カード挿入口２０を解放する位置ではその基端部４０が切欠き穴３０に掛止しているため、軸機構を用いないで開閉可能であり、自重では外れない。蓋部材２４は、カード挿入口２０を覆う位置ではその先端部４４を通したねじ２２がねじ穴２８に螺合されることにより本体パネル１６に固定される。また、切欠き穴３０の長手寸法Ｌｈは、電子カード２６の長手寸法Ｌｃより小さいため、本体の製造時に作業者が確認のために、サード挿入口２０の向こう側に配置されたカードコネクタ２９に対して、電子カード２６を切欠き穴３０に間違えて挿入することもない。これにより、軸機構を用いないで蓋部材２４が開閉可能に装着されて開閉部品の点数が少なく、構造が簡単で製造が容易、且つ製造に誤りのない安心できるカード収納装置１０が得られる。
【００２３】
また、本実施例のカード収納装置１０によれば、切欠き穴３０には、重力の方向に対して反対向きに凸形状の掛止突起３２が設けられており、蓋部材２４の基端部４０は、その凸形状の掛止突起３２に掛け止められる掛止穴３６が貫通して形成されているので、軸機構を用いないで、蓋部材２４を開閉可能すなわち回動可能に切欠き穴３０に装着できる。
【００２４】
また、本実施例のカード収納装置１０によれば、蓋部材２４は、カード挿入口２０を覆うためにそのカード挿入口２０に対向する凹みを有する箱状の覆蓋部４６を基端部４０と先端部４４との間に有し、その覆蓋部４６の側壁４６ｂ、４６ｃ、４６ｄ、４６ｅのうち中心線Ｃ２に平行な一対の側壁４６ｃ、４６ｅには、本体パネル１６に向かって突き出し、先端部４４が接触する前に本体パネル１６に接触する当接突起５０が形成されている。このため、蓋部材２４自体がばね座金の機能を有し、締着状態ではがたつきの発生がなく、ねじ２２の緩みが防止される。また、蓋部材２４を開くときにねじ２２を緩めると、当接突起５０の作用によって開く方向に回動し、蓋部材２４の基端部４０と切欠き穴３０との掛止によって蓋部材２４が落下することがない、安心できるカード収納装置１０が得られる。
【００２５】
また、本実施例のカード収納装置１０によれば、蓋部材２４には、その箱状の覆蓋部４６の底壁４６ａに貫通して形成された覗き穴４８が形成されていることから、カード挿入口２０が蓋部材２４により覆われている状態でカード挿入口２０が目視可能であるので、蓋部材２４を開けなくても電子カード２６がカード挿入口２０内に挿入されているか否かを判断することができるので、安心できるカード収納装置１０が得られる。
【００２６】
また、本実施例のカード収納装置１０によれば、切欠き穴３０およびカード挿入口２０は、蓋部材２４の覆蓋部４６の厚み寸法Ｄよりも小さな最小幅寸法Ｗｈおよび幅寸法Ｗｃを有するので、蓋部材２４を誤って切欠き穴３０あるいはカード挿入口２０内へ入れることが解消されるので、安心できるカード収納装置１０が得られる。
【実施例２】
【００２７】
次に、本発明の他の実施例のカード収納装置５８を説明する。なお、以下の説明において前述の実施例１のカード収納装置１８相互間で共通する部分には同一の符号を付して説明を省略する。
【００２８】
本実施例のカード収納装置５８では、前述の実施例１のカード収納装置１８に比較して、切欠き穴６０とこれに差し入れられる蓋部材２４の基端部７０の形状が異なる点で相違し、それ以外は略同様に構成されている。
【００２９】
図７に示すように、本実施例の切欠き穴６０は、前述の実施例の切欠き穴３０と同様に、最小幅寸法Ｗｈおよび長さ寸法Ｌｈを有し、カード挿入口２０を解放する位置にあるときは蓋部材２４の基端部７０の通過を許容するとともに自重による掛止を可能とし、カード挿入口２０を覆う位置までその掛止を持続して蓋部材２４の回動を許容するものである。しかし、その前述の実施例の切欠き穴３０とは逆に、切欠き穴６０は、その長手方向の中央部が下向きに凸形状とされているクランク形状の長穴である点で相違している。すなわち、この切欠き穴６０の凸形状により、切欠き穴６０の両端部において、切欠き穴６０内へ上向きに突き出す一対の掛止突起６２が本体パネル１６に形成されている。
【００３０】
図８に示すように、本実施例の蓋部材２４の基端部７０は、その幅方向に切り込まれた一対の掛止溝７２が板厚方向に貫通して形成されており、それら一対の掛止溝７２内に上記一対の掛止突起６２が掛止されることにより、蓋部材２４がカード挿入口２０を開いた解放状態で蓋部材２４の自重で掛け止められる。また、電子カード２６がカード挿入口２０内に差し入れられて作業者により回動操作が行なわれると、蓋部材２４はカード挿入口２０を覆って閉じた位置へ回動させられ得る。このため、本実施例の切欠き穴６０および基端部７０を有するカード収納装置５８でも、前述のカード収納装置１８と同様の作用効果が得られる。
【００３１】
以上、本発明の一実施例を図面に基づいて説明したが、本発明はその他の態様においても適用される。
【００３２】
たとえば、前述の実施例のカード収納装置１８において、当接突起５０は、４つの側壁４６ｂ、４６ｃ、４６ｄ、４６ｅのうちの中心線Ｃ２に平行な一対の側壁４６ｃ、４６ｅに設けられていたが、それらのうちの一方に設けられたものでもよいし、他の側壁４６ｂ、４６ｄに設けられたものでもよい。また、当接突起５０は、一対の側壁４６ｃ、４６ｅの基端部４０側に設けられていたが、その一対の側壁４６ｃ、４６ｅの長手方向の中間位置、先端部４４側位置であってもよい。
【００３３】
また、蓋部材２４は、カード挿入口２０の全部を覆うものであったが、そのカード挿入口２０の長手方向の一部を覆うものであってもよい。この場合には、覗き穴４８が不要となる。
【００３４】
また、蓋部材２４の覆蓋部４６は、底壁４６ａおよび側壁４６ｂ、４６ｃ、４６ｄ、４６ｅから成る箱形であったが、必ずしも箱形でなくてもよい。
【００３５】
また、前述のカード収納装置１８、５８は、カラオケ制御装置１０に設けられていたが、他の装置に設けられてもよい。
【００３６】
また、前述の実施例では、ねじ２２および本体パネル１６に形成されたねじ穴２８が先端部固定装置として機能していたが、本体パネル１６に立設されたねじとそれに螺合するナットや、本体パネル１６に形成された貫通穴に差し入れられるスナップピン、先端部４４に係合するように固定された板ばねなどの他の形式の先端部固定装置であってもよい。
【００３７】
その他一々例示はしないが、本発明は当業者の知識に基づいて種々の変更、改良を加えた態様で実施することができる。
【符号の説明】
【００３８】
１０：カラオケ制御装置
１２：前面パネル
１４：筐体(本体)
１６：本体パネル（本体）
１８、５８：カード収納装置
２０：カード挿入口
２２：ねじ
２４：蓋部材
２６：電子カード
２８：ねじ穴
３０、６０：切欠き穴
３２、６２：掛止突起
３６：掛止穴
４０、７０：基端部
４４：先端部
４６：覆蓋部
４６ａ：底壁
４６ｂ、４６ｃ、４６ｄ、４６ｅ：側壁
４８：覗き穴
５０：当接突起
【要約】
【課題】軸機構を用いないで蓋部材が装着されて開閉部品点数が少なく、構造が簡単で製造が容易なカード収納装置を提供する。
【解決手段】蓋部材２４は、カード挿入口２０を解放する位置ではその基端部４０が切欠き穴３０に掛止していているため、軸機構を用いないで開閉可能であり、自重では外れない。蓋部材２４は、カード挿入口２０を覆う位置ではその先端部４４を通したねじ２２がねじ穴２８に螺合されることにより本体パネル１６に固定される。これにより、軸機構を用いないで蓋部材２４が開閉可能に装着されて開閉部品の点数が少なく、構造が簡単で製造が容易且つ安価なカード収納装置１０が得られる。
【選択図】図４【図１】
0005299538.tif 000002
【図２】
0005299538.tif 000003
【図３】
0005299538.tif 000004
【図４】
0005299538.tif 000005
【図５】
0005299538.tif 000006
【図６】
0005299538.tif 000007
【図７】
0005299538.tif 000008
【図８】
0005299538.tif 000009